(57)【特許請求の範囲】
【請求項１】
アスペクト比が第１のアスペクト比である第１の表示装置とケーブルを介して接続される撮像装置であって、
アスペクト比が第２のアスペクト比である第２の表示装置と、
前記第１のアスペクト比に対応する第１の所定のサイズまたは前記第２のアスペクト比に対応する第２の所定のサイズにリサイズされた画像データを格納するための第１のメモリ領域と、前記第１の所定のサイズまたは前記第２の所定のサイズにリサイズされた画像データに重畳するためのＯＳＤデータを格納するための第２のメモリ領域とを有する第１の記憶手段と、
前記第２のメモリ領域に格納される前記ＯＳＤデータをあらかじめ記憶している第２の記憶手段と、
前記第１の所定のサイズまたは前記第２の所定のサイズにリサイズされた画像データと前記ＯＳＤデータとを前記第１の記憶手段から読み出すための基準クロックを発生させるクロック発生手段と、
前記第１の表示装置と前記撮像装置とがケーブルを介して接続されている場合は、前記第１のメモリ領域の大きさと前記第２のメモリ領域の大きさとを前記第１の所定のサイズに対応する大きさに設定するための処理と、前記基準クロックを第１の周波数に設定するための処理とを行い、前記第１の表示装置と前記撮像装置とがケーブルを介して接続されていない場合は、前記第１のメモリ領域の大きさと前記第２のメモリ領域の大きさとを前記第２の所定のサイズに対応する大きさに設定するための処理と、前記基準クロックを前記第１の周波数の倍の周波数である第２の周波数に設定するための処理とを行う制御手段と、
前記第１の表示装置と前記撮像装置とがケーブルを介して接続されている場合は、前記第１の周波数に基づいて前記第１の記憶手段から読み出された前記ＯＳＤデータを、前記第１の所定のサイズにリサイズされた画像データであって前記第１の周波数に基づいて前記第１の記憶手段から読み出された画像データに重畳するための処理を行い、前記第１の表示装置と前記撮像装置とがケーブルを介して接続されていない場合は、前記第２の周波数に基づいて前記第１の記憶手段から読み出された前記ＯＳＤデータを、前記第２の所定のサイズにリサイズされた画像データであって前記第２の周波数に基づいて前記第１の記憶手段から読み出された画像データに重畳するための処理を行う重畳手段と、
前記第１の表示装置と前記撮像装置とがケーブルを介して接続されている場合に、前記第１の所定のサイズにリサイズされた画像データであって前記ＯＳＤデータが重畳された画像データを前記第１の表示装置に出力するための処理を行う出力手段と、
前記第１の表示装置と前記撮像装置とがケーブルを介して接続されていない場合に、前記第２の所定のサイズにリサイズされた画像データであって前記ＯＳＤデータが重畳された画像データを前記第２の表示装置に表示させるための処理を行う表示制御手段と
を有することを特徴とする撮像装置。
【請求項２】
前記第１のアスペクト比は４：３であり、前記第２のアスペクト比は１６：９であることを特徴とする請求項１に記載の撮像装置。
【請求項３】
前記第２の所定のサイズは、前記第１の所定のサイズよりも、横のサイズが４／３倍であることを特徴とする請求項２に記載の撮像装置。
【請求項４】
前記第１の所定のサイズと前記第２の所定のサイズとは、縦のサイズが同じであることを特徴とする請求項１から３のいずれか１項に記載の撮像装置。
【請求項５】
前記第１の所定のサイズは、横７２０画素×縦４８０画素であり、前記第２の所定のサイズは、横９６０画素×縦４８０画素であることを特徴とする請求項１から４のいずれか１項に記載の撮像装置。
【請求項６】
前記第１の周波数は１３．５ＭＨｚであり、前記第２の周波数は２７ＭＨｚであることを特徴とする請求項１から５のいずれか１項に記載の撮像装置。
【発明の詳細な説明】
【技術分野】
【０００１】
本発明は、アスペクト比が異なる表示装置に画像を表示するのに好適な撮像装置に関する。
【背景技術】
【０００２】
一般に、デジタルカメラ等の撮像装置では、ＬＣＤパネル及びビデオ信号を出力するビデオ出力端子が備え付けられており、これらＬＣＤパネルやビデオ出力端子に接続されたＴＶモニタに撮影した画像を表示することができる。
【０００３】
また、撮影した画像の撮影日時等の文字情報や撮像装置の動作状態を示したアイコン等のＯＳＤ（On Screen Display）データも撮影した画像に重畳してＬＣＤパネルやＴＶモニタに表示することができる。
【０００４】
文字やアイコン等の形状はフォントデータとしてＲＯＭ等に格納されており、撮影日時等の文字情報や撮像装置の動作状態に応じてＲＯＭから読み出されてＯＳＤデータが形成される。この場合に、ＲＯＭ容量の削減のため、フォントデータはＬＣＤパネル及びＴＶモニタで同一のものを使用するのが好ましい。
【０００５】
従来、ＬＣＤパネルやＴＶモニタのアスペクト比は４：３であったが、近年、ＴＶモニタとしてアスペクト比が１６：９のいわゆるワイド画面が普及している。また、ＬＣＤパネルにアスペクト比が１６：９のものを備え付けている撮像装置も登場している。
【０００６】
本明細書では、アスペクト比が４：３のＬＣＤパネル及びＴＶモニタをそれぞれ「ノーマルＬＣＤ」「ノーマルＴＶ」と記載し、アスペクト比が１６：９のＬＣＤパネル及びＴＶモニタをそれぞれ「ワイドＬＣＤ」「ワイドＴＶ」と記載する。
【０００７】
特許文献１には、撮像素子から得られた画像データをＴＶモニタの表示サイズにリサイズし、リサイズされた画像データからＬＣＤパネルに表示する表示データを作成する映像信号処理装置が開示されている。
【０００８】
また、特許文献２には、ワイドＬＣＤを備えたデジタルカメラにおいて、ＴＶモニタのアスペクト比に応じて画像データをメモリ空間にマッピングする手段及びクロック信号の周波数を切り替えるデジタルカメラ及び画像信号生成方法が開示されている。
【０００９】
【特許文献１】特開２００２−３０５７５２号公報
【特許文献２】特開２００５−２６０７４０号公報
【発明の開示】
【発明が解決しようとする課題】
【００１０】
しかしながら、特許文献１に開示されている従来技術は、ＬＣＤパネルとＴＶモニタのアスペクト比が同じ場合についてのみ記載されており、ＬＣＤパネルとＴＶモニタのアスペクト比が異なる場合については考慮されていない。
【００１１】
例えば、ワイドＬＣＤとノーマルＴＶという組み合わせの場合、アスペクト比が４：３のノーマルＴＶの表示サイズに画像データをリサイズし、そのリサイズされた画像データをアスペクト比が１６：９のワイドＬＣＤに表示すると、ワイドＬＣＤには水平方向に伸張された画像が表示されてしまうという問題がある。図６にその例を示す。図６（ａ）はリサイズされた画像データ、図６（ｂ）はノーマルＴＶの表示、図６（ｃ）はワイドＬＣＤの表示である。図６（ｂ）に示すようにノーマルＴＶでは真円で表示されている画像が、図６（ｃ）に示すようにワイドＬＣＤでは水平方向に伸張された楕円として表示されてしまう。
【００１２】
また、ＯＳＤデータについても同様である。すなわち、アスペクト比が４：３のノーマルＴＶのフォントデータを用いてアスペクト比が１６：９のワイドＬＣＤに表示するＯＳＤデータを形成すると、文字やアイコンが水平方向に伸張されて見にくくなるという問題がある。
【００１３】
この問題に対して、ＬＣＤパネルとＴＶモニタとで異なるフォントデータを使用することが考えられるが、フォントデータを格納するＲＯＭ容量が増大してしまうという新たな問題が発生する。
【００１４】
また、特許文献２に開示されている従来技術は、ＯＳＤデータの表示については考慮されていない。
【００１５】
本発明は上述した点に鑑みてなされたものであり、アスペクト比が異なる表示装置に、ＯＳＤデータを含む画像を表示できるようにすることを目的とする。
【課題を解決するための手段】
【００１６】
本発明に係る撮像装置は、アスペクト比が第１のアスペクト比である第１の表示装置とケーブルを介して接続される撮像装置であって、アスペクト比が第２のアスペクト比である第２の表示装置と、前記第１のアスペクト比に対応する第１の所定のサイズまたは前記第２のアスペクト比に対応する第２の所定のサイズにリサイズされた画像データを格納するための第１のメモリ領域と、前記第１の所定のサイズまたは前記第２の所定のサイズにリサイズされた画像データに重畳するためのＯＳＤデータを格納するための第２のメモリ領域とを有する第１の記憶手段と、前記第２のメモリ領域に格納される前記ＯＳＤデータをあらかじめ記憶している第２の記憶手段と、前記第１の所定のサイズまたは前記第２の所定のサイズにリサイズされた画像データと前記ＯＳＤデータとを前記第１の記憶手段から読み出すための基準クロックを発生させるクロック発生手段と、前記第１の表示装置と前記撮像装置とがケーブルを介して接続されている場合は、前記第１のメモリ領域の大きさと前記第２のメモリ領域の大きさとを前記第１の所定のサイズに対応する大きさに設定するための処理と、前記基準クロックを第１の周波数に設定するための処理とを行い、前記第１の表示装置と前記撮像装置とがケーブルを介して接続されていない場合は、前記第１のメモリ領域の大きさと前記第２のメモリ領域の大きさとを前記第２の所定のサイズに対応する大きさに設定するための処理と、前記基準クロックを前記第１の周波数の倍の周波数である第２の周波数に設定するための処理とを行う制御手段と、前記第１の表示装置と前記撮像装置とがケーブルを介して接続されている場合は、前記第１の周波数に基づいて前記第１の記憶手段から読み出された前記ＯＳＤデータを、前記第１の所定のサイズにリサイズされた画像データであって前記第１の周波数に基づいて前記第１の記憶手段から読み出された画像データに重畳するための処理を行い、前記第１の表示装置と前記撮像装置とがケーブルを介して接続されていない場合は、前記第２の周波数に基づいて前記第１の記憶手段から読み出された前記ＯＳＤデータを、前記第２の所定のサイズにリサイズされた画像データであって前記第２の周波数に基づいて前記第１の記憶手段から読み出された画像データに重畳するための処理を行う重畳手段と、前記第１の表示装置と前記撮像装置とがケーブルを介して接続されている場合に、前記第１の所定のサイズにリサイズされた画像データであって前記ＯＳＤデータが重畳された画像データを前記第１の表示装置に出力するための処理を行う出力手段と、前記第１の表示装置と前記撮像装置とがケーブルを介して接続されていない場合に、前記第２の所定のサイズにリサイズされた画像データであって前記ＯＳＤデータが重畳された画像データを前記第２の表示装置に表示させるための処理を行う表示制御手段とを有することを特徴とする。
【発明の効果】
【００１７】
本発明によれば、アスペクト比が表示装置に、ＯＳＤデータを含む画像を表示することができる。
【発明を実施するための最良の形態】
【００１８】
以下、添付図面を参照して、本発明の好適な実施形態について説明する。
図１は、本発明の実施形態に係る映像信号処理装置を含む撮像装置のブロック図である。この撮像装置は、デジタルカメラやデジタルビデオカメラ等、表示装置を内蔵するとともに外部のＴＶモニタに接続可能な装置である。
【００１９】
図１において、１００は撮像素子であり、光学像を電気信号に変換する。１０１はＡ／Ｄ変換器であり、撮像素子１００から出力されたアナログ画像信号をデジタル信号に変換する。１０２は撮像信号処理回路であり、Ａ／Ｄ変換器１０１から出力されたデジタル信号にガンマ処理、補間処理、マトリクス変換等を施してＹＵＶ形式の画像（映像）データを生成する。撮像信号処理回路１０２は、画像データをモニタの表示サイズにリサイズするリサイズ回路を含む。
【００２０】
１０３はメモリであり、画像データ、本発明でいう付加情報であるＯＳＤ（On Screen Display）データや各種制御データを一時的に記憶する。
【００２１】
１０４は表示制御部であり、メモリ１０３に記憶されている画像データ及びＯＳＤデータから、ＬＣＤパネル１１６及びＴＶモニタ１１５に表示する映像信号を生成する。１０５はＲＯＭであり、ＯＳＤデータを生成するための文字やアイコン等のフォントデータを格納する。なお、ＲＯＭ１０５はフラッシュメモリでも構わない。
【００２２】
１０６はＣＰＵであり、撮像装置の動作をコントロールする。１０７はシステムバスであり、撮像信号処理回路１０２、メモリ１０３、表示制御部１０４、ＲＯＭ１０５、ＣＰＵ１０６が接続される。画像データや各種制御データは、システムバス１０７を介して書き込み／読み出しが行われる。
【００２３】
１０８はクロックジェネレータであり、表示制御部１０４の動作クロックを生成する。
【００２４】
表示制御部１０４は、表示用同期信号を発生させる表示タイミングジェネレータ１０９と、画像データにＯＳＤデータを重畳するＯＳＤ重畳回路１１０と、ＴＶエンコーダ１１１と、ＬＣＤエンコーダ１１２とを含む。
【００２５】
１１３はＤ／Ａ変換器であり、ＴＶエンコーダ１１１から出力されたデジタルビデオ信号（第１の映像信号）をアナログビデオ信号に変換する。１１４は映像信号出力手段であるビデオ出力端子である。１１５は外部表示装置であるＴＶモニタである。Ｄ／Ａ変換器１１３から出力されたアナログビデオ信号は、ビデオ出力端子１１４に接続された映像ケーブルを介して外部ＴＶモニタ１１５に表示される。
【００２６】
１１６は表示装置であるＬＣＤパネルであり、ＬＣＤエンコーダ１１２から出力された映像信号（第２の映像信号）を表示する。
【００２７】
本実施形態では、ＴＶモニタ１１５はアスペクト比が４：３のノーマルＴＶであり、ＬＣＤパネル１１６はアスペクト比が１６：９のワイドＬＣＤ（水平９６０画素×２４０ライン）であるとして説明する。
【００２８】
図２は、クロックジェネレータ１０８の回路構成を示す図である。クロックジェネレータ１０８では、スイッチ２０１を切り替えることにより、出力クロック（ＣＬＫ＿ＯＵＴ）の周波数を、入力クロック（ＣＬＫ＿ＩＮ）と同じ、もしくは、入力クロック（ＣＬＫ＿ＩＮ）の１／２に切り替え可能である。本実施形態では、入力クロックの周波数を２７ＭＨｚとし、出力クロックの周波数を２７ＭＨｚ及び１３．５ＭＨｚから選択できる。
【００２９】
なお、本実施形態では、ビデオ出力端子１１４から出力されたアナログビデオ信号をＮＴＳＣ方式（水平７２０画素×垂直４８０ライン）のコンポジット映像信号として説明する。
【００３０】
以下、本実施形態の撮像装置の処理動作をノーマルＴＶモニタ表示時とワイドＬＣＤパネル表示時とに分けて説明する。
【００３１】
（１）ノーマルＴＶモニタ表示時
図３は、本実施形態における撮像装置の処理動作を説明するためのフローチャートである。ステップＳ１０１において、ＣＰＵ１０６は、図１に図示されない映像ケーブル挿入検出器からビデオ出力端子１１４に映像ケーブルが挿入されているかどうかを検出する。映像ケーブルが挿入されている場合（ステップＳ１０１でＹｅｓ）、撮像装置の動作モードをノーマルＴＶ表示として、ステップＳ１０２に移行する。
【００３２】
ＣＰＵ１０６は、メモリ１０３に表示用画像データを記憶するメモリ空間Ａ及びＯＳＤデータを記憶するメモリ空間Ｂを確保する（ステップＳ１０２）。メモリ空間Ａの大きさは、水平７２０画素×垂直４８０ラインの画像データに相当するデータ容量である。また、メモリ空間Ｂの大きさは、水平７２０画素×垂直４８０ラインのＯＳＤデータに相当するデータ容量である。
【００３３】
また、ＣＰＵ１０６は、表示制御部１０４の表示タイミングジェネレータ１０９に供給される動作クロックが１３．５ＭＨｚになるようにクロックジェネレータ１０８を設定する（ステップＳ１０３）。
【００３４】
撮像素子１００から出力されたアナログ画像信号は、Ａ／Ｄ変換器１０１によりデジタル信号（画像データ）に変換された上で、撮像信号処理回路１０２に入力される。撮像信号処理回路１０２は、入力された画像データにガンマ処理、補間処理、マトリクス変換等を施してＹＵＶ形式の画像データを生成する。このとき、撮像信号処理回路１０２のリサイズ回路は、生成された画像データを水平方向又は垂直方向の少なくとも一方に拡大又は縮小する（すなわち、リサイズを行う）。これは、ＮＴＳＣ方式の表示サイズである水平７２０画素×垂直４８０ラインに対応した表示用画像データを生成するためである。その後、表示用画像データは、システムバス１０７を介してメモリ１０３のメモリ空間Ａに記憶される。
【００３５】
また、ＣＰＵ１０６は、ＲＯＭ１０５から文字やアイコン等のフォントデータを読み出して、撮像装置の動作状態等を示すＯＳＤデータを生成し、メモリ１０３のメモリ空間Ｂに記憶する。
【００３６】
表示制御部１０４の動作について説明する。ＮＴＳＣ方式のＴＶモニタ１１５はインターレース表示を行う。そのため、表示用画像データ及びＯＳＤデータを構成する４８０ラインのうち、第１フィールドでは、奇数番目の２４０ラインのみ（第１フィールド画像）がメモリ１０３から読み出されてＴＶモニタ１１５に表示される。また、第２フィールドでは、偶数番目の２４０ラインのみ（第２フィールド画像）がメモリ１０３から読み出されてＴＶモニタ１１５に表示される。
【００３７】
表示制御部１０４の表示タイミングジェネレータ１０９は、１３．５ＭＨｚの動作クロックに基づいて同期信号（水平／垂直同期信号）、表示用画像データ及びＯＳＤデータの読み出しタイミング信号を発生させる。
【００３８】
表示制御部１０４のＯＳＤ重畳回路１１０は、読み出しタイミング信号に合わせて表示データが出力されるようにメモリ１０３から表示用画像データ及びＯＳＤデータを読み出し、表示用画像データにＯＳＤデータを重畳させる。
【００３９】
図４に、ノーマルＴＶモニタ表示時における１水平周期期間のタイミングチャートを示す。ＮＴＳＣ方式においては、水平同期信号の周波数は１５．７３４ＫＨｚであり、図４（ｂ）の水平同期信号は１３．５ＭＨｚの動作クロックの８５８サイクル毎に発生する。図４（ｃ）の読み出しタイミング信号は表示アクティブ期間のみＨｉｇｈになる信号であり、１水平周期期間内で７２０サイクルＨｉｇｈになる。
【００４０】
表示制御部１０４のＴＶエンコーダ１１１は、ＯＳＤ重畳回路１１０から出力された表示データに同期信号やカラーバースト信号を付加してＤ／Ａ変換器１１３に出力する。Ｄ／Ａ変換器１１３から出力されたアナログビデオ信号はビデオ出力端子１１４に接続された映像ケーブルを介して外部ＴＶモニタ１１５に表示される。
【００４１】
（２）ワイドＬＣＤパネル表示時
図３のステップＳ１０１において、ＣＰＵ１０６は、図１に図示されない映像ケーブル挿入検出器からビデオ出力端子１１４に映像ケーブルが挿入されているかどうかを検出する。映像ケーブルが挿入されていない場合（ステップＳ１０１でＮｏ）、撮像装置の動作モードをワイドＬＣＤ表示として、ステップＳ１０４に移行する。
【００４２】
ＣＰＵ１０６は、メモリ１０３に表示用画像データを記憶するメモリ空間Ａ及びＯＳＤデータを記憶するメモリ空間Ｂを確保する（ステップＳ１０４）。ここで、ＬＣＤパネル１１６はアスペクト比が１６：９のワイドＬＣＤであり、アスペクト比が４：３の表示領域を水平方向に４／３倍すると１６：９のアスペクト比になる（４×４／３：３＝１６：９）。従って、メモリ空間Ａ及びメモリ空間Ｂに確保されるデータ容量をＴＶモニタ表示時と比べて４／３倍にする。すなわち、メモリ空間Ａの大きさは、水平９６０画素×垂直４８０ラインの画像データに相当するデータ容量である。また、メモリ空間Ｂの大きさは、水平９６０画素×垂直４８０ラインのＯＳＤデータに相当するデータ容量である。
【００４３】
また、ＣＰＵ１０６は、表示制御部１０４の表示タイミングジェネレータ１０９に供給される動作クロックが１３．５ＭＨｚの２倍である２７ＭＨｚになるようにクロックジェネレータ１０８を設定する（ステップＳ１０５）。
【００４４】
撮像素子１００から出力されたアナログ画像信号は、Ａ／Ｄ変換器１０１によりデジタル信号（画像データ）に変換された上で、撮像信号処理回路１０２に入力される。撮像信号処理回路１０２は、入力された画像データにガンマ処理、補間処理、マトリクス変換等を施してＹＵＶ形式の画像データを生成する。このとき、撮像信号処理回路１０２のリサイズ回路は、生成された画像データを水平方向又は垂直方向の少なくとも一方に拡大又は縮小する（すなわち、リサイズを行う）。これは、アスペクト比が１６：９の表示サイズである水平９６０画素×垂直４８０ラインに対応した表示用画像データを作成するためである。その後、表示用画像データは、システムバス１０７を介してメモリ１０３のメモリ空間Ａに記憶される。
【００４５】
また、ＣＰＵ１０６は、ＲＯＭ１０５から文字やアイコン等のフォントデータを読み出して、撮像装置の動作状態等を示すＯＳＤデータを作成し、メモリ１０３のメモリ空間Ｂに記憶する。ＬＣＤパネル１１６の表示領域はＴＶモニタ表示時と比べて水平方向に４／３倍になっており、それに対応してメモリ空間Ｂのデータ容量も水平方向に４／３倍確保したので、ＴＶモニタ表示時と同じフォントデータを用いることができる。
【００４６】
表示制御部１０４の動作について説明する。ＬＣＤパネル１１６はプログレッシブ表示を行う。本実施形態では、ＬＣＤパネル１１６の垂直ライン数は表示用画像データ及びＯＳＤデータの半分の２４０ラインである。そのため、表示用画像データ及びＯＳＤデータを構成する４８０ラインのうち、フレーム毎に奇数番目の２４０ラインのみ（第１フィールド画像）と偶数番目の２４０ラインのみ（第２フィールド画像）がメモリ１０３から交互に読み出されてＬＣＤパネル１１６に表示される。
【００４７】
表示制御部１０４の表示タイミングジェネレータ１０９は、２７ＭＨｚの動作クロックに基づいて同期信号（水平／垂直同期信号）、表示用画像データ及びＯＳＤデータの読み出しタイミング信号を発生させる。ただし、同期信号の周波数はＴＶモニタ表示時と同じであるが、読み出しタイミング信号がＨｉｇｈになるサイクル数はＴＶモニタ表示時の４／３倍の９６０（＝７２０×４／３）サイクルである。
【００４８】
表示制御部１０４のＯＳＤ重畳回路１１０は、読み出しタイミング信号に合わせて表示データが出力されるようにメモリ１０３から表示用画像データ及びＯＳＤデータを読み出し、表示用画像データにＯＳＤデータを重畳させる。
【００４９】
図５に、ワイドＬＣＤパネル表示時おける１水平周期期間のタイミングチャートを示す。水平同期信号の周波数はＮＴＳＣ方式と同じ１５．７３４ＫＨｚであり、図５（ｂ）の水平同期信号は２７ＭＨｚの動作クロックの８５８×２＝１７１６サイクル毎に発生する。図５（ｃ）の読み出しタイミング信号は表示アクティブ期間のみＨｉｇｈになる信号であり、１水平周期期間内で表示水平サイズに相当する９６０サイクルＨｉｇｈになる。
【００５０】
表示制御部１０４のＬＣＤエンコーダ１１２は、ＯＳＤ重畳回路１１０から出力された表示データから従来既知の技術によりＬＣＤパネル１１６に供給可能な映像データに変換する。ＬＣＤパネル１１６はＬＣＤエンコーダ１１２から出力された映像データが表示される。
【００５１】
以上のようにＴＶエンコーダ１１１による変換時とＬＣＤエンコーダ１１２による変換時とで、画像データ及びＯＳＤデータをメモリ１０３に記憶する領域の水平サイズを変えるステップを実行する。また、ＴＶエンコーダ１１１による変換時とＬＣＤエンコーダ１１２による変換時とで、クロックジェネレータ１０８のクロック周波数を変えるステップを実行する。これにより、アスペクト比が異なる表示装置に、ＯＳＤデータを含む映像を簡易な構成で表示することができる。
【００５２】
なお、本実施形態では、ＬＣＤパネル１１６の水平画素数を表示用画像データ及びＯＳＤデータの水平サイズと同じ９６０画素として説明したが、同じである必要はない。その場合、ＬＣＤエンコーダ１１２において表示データを映像データに変換する際に拡大処理又は縮小処理を行う。
【００５３】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００５４】
この場合、記憶媒体から読み出されたプログラムコード自体が上述した実施形態の機能を実現することになり、プログラムコード自体及びそのプログラムコードを記憶した記憶媒体は本発明を構成することになる。
【００５５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５６】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００５７】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００５８】
【図１】本発明の実施形態に係る映像信号処理装置を含む撮像装置のブロック図である。
【図２】クロックジェネレータの回路構成を示す図である。
【図３】本実施形態における撮像装置の処理動作を説明するためのフローチャートである。
【図４】ノーマルＴＶモニタ表示時における１水平周期期間のタイミングチャートである。
【図５】ワイドＬＣＤパネル表示時における１水平周期期間のタイミングチャートである。
【図６】アスペクト比が異なる場合の表示を説明するための図であり、（ａ）はリサイズされた水平７２０画素×垂直４８０ラインの画像データを示す図、（ｂ）はノーマルＴＶの表示を示す図、（ｃ）はワイドＬＣＤの表示を示す図である。
【符号の説明】
【００５９】
１００  撮像素子
１０１  Ａ／Ｄ変換器
１０２  撮像信号処理回路
１０３  メモリ
１０４  表示制御部
１０５  ＲＯＭ
１０６  ＣＰＵ
１０７  システムバス
１０８  クロックジェネレータ
１０９  表示タイミングジェネレータ
１１０  ＯＳＤ重畳回路
１１１  ＴＶエンコーダ
１１２  ＬＣＤエンコーダ
１１３  Ｄ／Ａ変換器
１１４  ビデオ出力端子
１１５  ＴＶモニタ
１１６  ＬＣＤパネル
【図１】
0005645343.tif 000002
【図２】
0005645343.tif 000003
【図３】
0005645343.tif 000004
【図４】
0005645343.tif 000005
【図５】
0005645343.tif 000006
【図６】
0005645343.tif 000007